(57)【特許請求の範囲】
【請求項１】
モーターからなる回転駆動手段と、
回転駆動手段に接続される回転軸と、
前記回転軸に接続される駆動回転体と、
前記駆動回転体から離れた位置に設けられた従動回転体と、
前記駆動回転体と前記従動回転体とに掛け渡された駆動伝達手段と、
前記駆動回転体と前記従動回転体との間に設けられ、前記駆動伝達手段の一部を屈折させる回転体を有して、その回転体の回転軸に付勢手段が設けられかつ回転軸が前記駆動伝達手段の延長方向に対して垂直方向に可動な駆動伝達手段たるみ吸収機構と、
前記回転駆動手段と前記回転軸と前記駆動回転体と前記従動回転体と前記駆動伝達手段と前記駆動伝達手段たるみ吸収機構とを覆うように設けられた内部を視認することが可能な透明容器と、
前記透明容器の側壁の、前記駆動回転体または前記従動回転体と前記駆動伝達手段とが接触し始める部分の周囲に設けられ、前記駆動伝達手段の延長方向に沿って設けられた挿入用窓と、
を備えており、
前記挿入用窓は細長い長方形であり、前記透明容器の側壁に対して垂直な方向から見たときに、前記駆動回転体または前記従動回転体と前記駆動伝達手段とが接触し始める部分をその領域内に含み、前記駆動伝達手段の直線状の延長方向に平行にその長辺が設けられていることを特徴とする巻き込まれ体感装置。
【請求項２】
請求項１に記載の巻き込まれ体感装置であって、
駆動回転体がプーリであり、
従動回転体がプーリであり、
駆動伝達手段がベルトであり、
駆動伝達手段たるみ吸収機構の回転体がロールもしくはプーリであり、付勢手段がばねであることを特徴とする巻き込まれ体感装置。
【請求項３】
請求項１に記載の巻き込まれ体感装置であって、
駆動回転体がスプロケットであり、
従動回転体がスプロケットであり、
駆動伝達手段がチェーンであり、
駆動伝達手段たるみ吸収機構の回転体がスプロケットであり、付勢手段がばねであることを特徴とする巻き込まれ体感装置。
【請求項４】
巻き込まれ事故を安全に体感するための巻き込まれ体感装置であって、
モーターと、
モーターに接続される回転軸と、
前記回転軸に接続される駆動プーリと、
前記駆動プーリから離れた位置に設けられた従動プーリと、
前記駆動プーリと前記従動プーリとに掛け渡されたベルトと、
前記駆動プーリと前記従動プーリとの間に設けられ、前記ベルトの一部を屈折させるローラもしくはプーリを有して、そのローラもしくはプーリの回転軸にばねが設けられかつ回転軸が前記ベルトの延長方向に対して垂直方向に可動なベルトたるみ吸収機構と、
前記従動プーリの回転軸の延長上に設けられた支軸と、
前記支軸に接続された駆動スプロケットと、
前記駆動スプロケットから離れた位置に設けられた従動スプロケットと、
前記駆動スプロケットと前記従動スプロケットとに掛け渡されたチェーンと、
前記駆動スプロケットと前記従動スプロケットとの間で前記チェーンの一部を屈折させるスプロケットを有して、そのスプロケットの回転軸にばねが設けられかつ回転軸が前記チェーンの延長方向に対して垂直方向に可動なチェーンたるみ吸収機構と、
前記モーターと前記回転軸と前記駆動プーリと前記従動プーリと前記ベルトと前記ベルトたるみ吸収機構と前記支軸と前記駆動スプロケットと前記従動スプロケットと前記チェーンと前記チェーンたるみ吸収機構とを覆うように設けられた内部を視認することが可能な透明容器と、
前記透明容器の側壁の、前記駆動プーリまたは前記従動プーリと前記ベルトとが接触し始める部分の周囲に設けられ、前記ベルトの延長方向に沿って設けられた第一の挿入用窓と、
前記透明容器の側壁の、前記駆動スプロケットまたは前記従動スプロケットと前記チェーンとが接触し始める部分の周囲に設けられ、前記チェーンの延長方向に沿って設けられた第二の挿入用窓と、
を備えており、
前記第一の挿入用窓は細長い長方形であり、前記透明容器の側壁に対して垂直な方向から見たときに、前記駆動プーリまたは前記従動プーリと前記ベルトとが接触し始める部分をその領域内に含み、前記ベルトの直線状の延長方向に平行にその長辺が設けられており、
前記第二の挿入用窓は細長い長方形であり、前記透明容器の側壁に対して垂直な方向から見たときに、前記駆動スプロケットまたは前記従動スプロケットと前記チェーンとが接触し始める部分をその領域内に含み、前記チェーンの直線状の延長方向に平行にその長辺が設けられていることを特徴とする巻き込まれ体感装置。
【発明の詳細な説明】
【技術分野】
【０００１】
本発明は、ベルトやチェーンへの巻き込まれを擬似的に体感する装置に関する。
【背景技術】
【０００２】
生産現場において、ベルトやチェーンに手を巻き込まれると大変な災害になる。そこで、生産現場において、事故を防止するため安全教育を推進する必要がある。講義などを通して危険性を説くことが行われてきたが、観念的であるため危険に対する感度形成が弱かった。そこでチェーンへの巻き込まれを体感する巻き込まれ事故体感装置が提案されている（特許文献１）。
【先行技術文献】
【特許文献】
【０００３】
【特許文献１】実用新案登録第３２００１９１号公報
【発明の概要】
【発明が解決しようとする課題】
【０００４】
特許文献１に記載された装置は、チェーン駆動機構に軍手を嵌めた手を挿入し、巻き込まれを体感するものであるが、駆動が機械のモーターでなく手回しによるものであり、またチェーンのみが対象である。回転するベルトやチェーンへの巻き込まれを臨場感を持って体感することで、危険を回避することの重要性を作業者に認識させ、生産現場での安全な作業を実施するための常識を形成することが重要である。
【課題を解決するための手段】
【０００５】
本発明は上記課題を解決するためになされたもので、本発明の請求項１の発明は、モーターからなる回転駆動手段と、回転駆動手段に接続される回転軸と、前記回転軸に接続される駆動回転体と、前記駆動回転体から離れた位置に設けられた従動回転体と、前記駆動回転体と前記従動回転体とに掛け渡された駆動伝達手段と、前記駆動回転体と前記従動回転体との間に設けられ、前記駆動伝達手段の一部を屈折させる回転体を有して、その回転体の回転軸に付勢手段が設けられかつ回転軸が前記駆動伝達手段の延長方向に対して垂直方向に可動な駆動伝達手段たるみ吸収機構と、前記回転駆動手段と前記回転軸と前記駆動回転体と前記従動回転体と前記駆動伝達手段と前記駆動伝達手段たるみ吸収機構とを覆うように設けられた内部を視認することが可能な透明容器と、前記透明容器の側壁の、前記駆動回転体または前記従動回転体と前記駆動伝達手段とが接触し始める部分の周囲に設けられ、前記駆動伝達手段の延長方向に沿って設けられた挿入用窓と、を備えており、前記挿入用窓は細長い長方形であり、前記透明容器の側壁に対して垂直な方向から見たときに、前記駆動回転体または前記従動回転体と前記駆動伝達手段とが接触し始める部分をその領域内に含み、前記駆動伝達手段の直線状の延長方向に平行にその長辺が設けられていることを特徴とする巻き込まれ体感装置である。
【０００６】
本発明の請求項２の発明は、請求項１に記載の巻き込まれ体感装置であって、駆動回転体がプーリであり、従動回転体がプーリであり、駆動伝達手段がベルトであり、駆動伝達手段たるみ吸収機構の回転体がロールもしくはプーリであり、付勢手段がばねであることを特徴とする巻き込まれ体感装置である。
【０００７】
本発明の請求項３の発明は、請求項１に記載の巻き込まれ体感装置であって、駆動回転体がスプロケットであり、従動回転体がスプロケットであり、駆動伝達手段がチェーンであり、駆動伝達手段たるみ吸収機構の回転体がスプロケットであり、付勢手段がばねであることを特徴とする巻き込まれ体感装置である。
【０００８】
本発明の請求項４の発明は、巻き込まれ事故を安全に体感するための巻き込まれ体感装置であって、モーターと、モーターに接続される回転軸と、前記回転軸に接続される駆動プーリと、前記駆動プーリから離れた位置に設けられた従動プーリと、前記駆動プーリと前記従動プーリとに掛け渡されたベルトと、前記駆動プーリと前記従動プーリとの間に設けられ、前記ベルトの一部を屈折させるローラもしくはプーリを有して、そのローラもしくはプーリの回転軸にばねが設けられかつ回転軸が前記ベルトの延長方向に対して垂直方向に可動なベルトたるみ吸収機構と、前記従動プーリの回転軸の延長上に設けられた支軸と、前記支軸に接続された駆動スプロケットと、前記駆動スプロケットから離れた位置に設けられた従動スプロケットと、前記駆動スプロケットと前記従動スプロケットとに掛け渡されたチェーンと、前記駆動スプロケットと前記従動スプロケットとの間で前記チェーンの一部を屈折させるスプロケットを有して、そのスプロケットの回転軸にばねが設けられかつ回転軸が前記チェーンの延長方向に対して垂直方向に可動なチェーンたるみ吸収機構と、前記モーターと前記回転軸と前記駆動プーリと前記従動プーリと前記ベルトと前記ベルトたるみ吸収機構と前記支軸と前記駆動スプロケットと前記従動スプロケットと前記チェーンと前記チェーンたるみ吸収機構とを覆うように設けられた内部を視認することが可能な透明容器と、前記透明容器の側壁の、前記駆動プーリまたは前記従動プーリと前記ベルトとが接触し始める部分の周囲に設けられ、前記ベルトの延長方向に沿って設けられた第一の挿入用窓と、前記透明容器の側壁の、前記駆動スプロケットまたは前記従動スプロケットと前記チェーンとが接触し始める部分の周囲に設けられ、前記チェーンの延長方向に沿って設けられた第二の挿入用窓と、を備えており、前記第一の挿入用窓は細長い長方形であり、前記透明容器の側壁に対して垂直な方向から見たときに、前記駆動プーリまたは前記従動プーリと前記ベルトとが接触し始める部分をその領域内に含み、前記ベルトの直線状の延長方向に平行にその長辺が設けられており、前記第二の挿入用窓は細長い長方形であり、前記透明容器の側壁に対して垂直な方向から見たときに、前記駆動スプロケットまたは前記従動スプロケットと前記チェーンとが接触し始める部分をその領域内に含み、前記チェーンの直線状の延長方向に平行にその長辺が設けられていることを特徴とする巻き込まれ体感装置である。
【発明の効果】
【０００９】
ベルトやチェーンへの巻き込まれを安全に実体感できるので、危険に対する感度向上が図れる。
【図面の簡単な説明】
【００１０】
【図１】は本発明の第１実施形態における巻き込まれ体感装置の模式的斜視図。
【図２】は本発明の第１実施形態における巻き込まれ体感装置の模式的上面図。
【図３】は本発明の第２実施形態における巻き込まれ体感装置の模式的斜視図。
【図４】は本発明の第２実施形態における巻き込まれ体感装置の模式的上面図。
【図５】は本発明の第３実施形態における巻き込まれ体感装置の模式的上面図。
【発明を実施するための形態】
【００１１】
＜実施形態１＞
本発明の第１実施形態に係わる巻き込まれ体感装置について添付図面を参照して説明する。
【００１２】
図１は本発明の第１実施形態における巻き込まれ体感装置の模式的斜視図であり、図２は本発明の第１実施形態における巻き込まれ体感装置の模式的上面図である。
【００１３】
回転駆動手段１にはモーターなどの駆動手段を用いる。回転駆動手段１は駆動軸２を回転させ、駆動軸２は駆動軸２によって軸支される駆動プーリ３を回転させる。
【００１４】
従動プーリ４が駆動プーリ３から離れたところに設けられ、駆動プーリ３と従動プーリ４とにＶベルト５が掛け渡されており、駆動プーリ３が回転することでＶベルト５が図１、図２におけるＶベルト進行方向１００の方向に移動することで、駆動プーリ３の回転はVベルト５によって従動プーリ４に伝達される。駆動プーリ３の回転を従動プーリ４に伝達する手段はＶベルトに限られるものでなく、丸ベルトなど他の駆動伝達手段を用いてもよい。前記駆動プーリ３と前記従動プーリ４の間で、Ｖベルトと接するように、テンションローラ７が設けられ、テンションローラ７の回転軸には付勢手段６が設けられ、テンションローラ７の回転軸はＶベルトの延長方向に対して垂直方向に可動である。付勢手段６としては、本発明においてはばねを使用するが、テンションローラ７がＶベルト５を押圧するものであれば、いかなるものを用いても構わない。回転軸に付勢手段６が設けられているテンションローラ７は、Ｖベルト５が弛んだときには、Ｖベルト５に近づく方向に動くことによって弛みを解消し、Ｖベルト５が張られたときには、Ｖベルトから離れる方向に動き、張りを解消する。
【００１５】
この付勢手段６とテンションローラ７は、付勢手段とテンションローラ両方の機能を備えたベルトテンショナー（不図示）であってもよい。
【００１６】
回転駆動手段１と駆動軸２と駆動プーリ３と従動プーリ４と付勢手段６とテンションローラ７とVベルト５を覆い、内部を視認することができる透明ケース８がある。
【００１７】
移動したVベルト５が従動プーリ４に接触し始める部分近くの透明ケース８の側壁に、Vベルトの延長方向に沿って体感窓９が設けられる。
【００１８】
巻き込まれ体感装置における巻き込まれを体感するための動作について説明する。体感者が被挿入物を手に持ち、体感窓９から透明ケース８内に挿入し、移動したＶベルト５と従動プーリ４が接触し始める部位に被挿入物を挿入する。被挿入物は体感窓９の最小の幅より小さく、手で持つことが可能な大きさあれば何でもよく、断面形状はどのようなものであっても良いが、手で持つことの負担が小さく、Ｖベルト５と従動プーリ４とに挟まって抜けなくなったときに変形するように木製のものが望ましい。体感窓９はＶベルト５の延長方向に沿った形状であるので、被挿入物がＶベルト５と従動プーリ４の間に挿入されると、従動プーリ４の外周に沿って被挿入物が移動し、巻き込まれる感覚を体感することができる。
【００１９】
Ｖベルト５と従動プーリ４の間に被挿入物が挟みこまれる時、Ｖベルト５は従動プーリ４から浮き上がり、そこでＶベルト５の経路が長くなるために、テンションが増加する。
【００２０】
テンションが増加すると、テンションローラ７がＶベルト５から離れる方向に動くことによってテンションの増加を吸収する。
【００２１】
テンションローラ７がない場合、Ｖベルト５と従動プーリ４の間に被挿入物が挟みこまれた時に、増加したテンションを吸収することができず、Ｖベルト５が脱輪したり破断したりする可能性がある。
【００２２】
上記の実施形態における体感するための動作において、被挿入物を挟み込む部位はＶベルト５と従動プーリ４とが接触し始める部分に限るものでなく、Ｖベルト５と駆動プーリ３が接触し始める部分でも良い。この場合、体感窓は駆動プーリ３に移動したＶベルト５が接触し始める部分近くの透明ケース８の側面に、Ｖベルトの延長方向に沿って設けられる。
【００２３】
テンションローラ７はローラに限られるものではなく、プーリでも良い。
【００２４】
＜実施形態２＞
次に、本発明の第２実施形態に係わる巻き込まれ体感装置について添付図面を参照して説明する。
【００２５】
図３は本発明の第２実施形態における巻き込まれ体感装置の模式的斜視図であり、図４は本発明の第２実施形態における巻き込まれ体感装置の模式的上面図である。
【００２６】
回転駆動手段１１にはモーターなどの駆動手段を用いる。回転駆動手段１１は駆動軸１２を回転させ、駆動軸１２は駆動軸１２によって軸支される駆動スプロケット１３を回転させる。
【００２７】
従動スプロケット１４が駆動スプロケット１３から離れたところに設けられ、駆動スプロケット１３と従動スプロケット１４とにチェーン１５が掛け渡されており、駆動スプロケット１３が回転することで図３、図４におけるチェーン進行方向２００の方向に移動することで、駆動スプロケット１３の回転はチェーン１５によって従動スプロケット１４に伝達される。前記駆動スプロケット１３と前記従動スプロケット１４の間で、チェーン１５と接するように、テンションスプロケット１７が設けられ、テンションスプロケット１７の回転軸には付勢手段１６が設けられている。テンションスプロケット１７の回転軸はチェーン１５の延長方向に対して垂直方向に可動である。付勢手段１６としてはばねを使用するが、テンションスプロケット１７がチェーン１５を押圧するものであれば、いかなるものを用いても構わない。回転軸に付勢手段１６が設けられているテンションスプロケット１７は、チェーン１５が弛んだときには、チェーン１５に近づく方向に動くことによって弛みを解消し、チェーン１５が張られたときには、チェーン１５から離れる方向に動き、張りを解消する。
【００２８】
この付勢手段１６とテンションスプロケット１７は、付勢手段とテンションスプロケット両方の機能を備えたチェーンテンショナー（不図示）であってもよい。
【００２９】
回転駆動手段１１と駆動軸１２と駆動スプロケット１３と従動スプロケット１４と付勢手段１６とテンションスプロケット１７とチェーン１５を覆い、内部を視認することができる透明ケース１８がある。
【００３０】
駆動スプロケット１３に移動したチェーン１５が接触し始める部分近くの透明ケース８の側壁に、チェーン１５の延長方向に沿って体感窓１９が設けられる。
【００３１】
巻き込まれ体感装置における巻き込まれを体感するための動作について説明する。体感者が被挿入物を手に持ち、体感窓１９から透明ケース１8内に挿入し、移動したチェーン１５と駆動スプロケット１３が接触し始める部位に被挿入物を挿入する。被挿入物は体感窓１９の最小の幅より小さく、手で持つことが可能な大きさあれば何でもよく、断面形状はどのようなものであっても良いが、手で持つことの負担が小さく、チェーン１５と駆動スプロケット１３とに挟まって抜けなくなったときに変形するように木製のものが望ましい。体感窓１９はチェーン１５の延長方向に沿った形状であるので、被挿入物がチェーン１５と駆動スプロケット１３の間に挿入されると、駆動スプロケット１３の外周に沿って被挿入物が移動し、巻き込まれる感覚を体感することができる。
【００３２】
チェーン１５と駆動スプロケット１３の間に被挿入物が挟みこまれる時、チェーン１５は駆動スプロケット１３から浮き上がり、そこでチェーン１５の経路が長くなるために、テンションが増加する。
【００３３】
テンションが増加すると、テンションスプロケット１７がチェーン１５から離れる方向に動くことによってテンションの増加を吸収する。
【００３４】
テンションスプロケット１７がない場合、チェーン１５と駆動スプロケット１３の間に被挿入物が挟みこまれた時に、増加したテンションを吸収することができず、チェーン１５が脱輪したり破断したりする可能性がある。
【００３５】
上記の実施形態における体感するための動作において、被挿入物を挟み込む部位はチェーン１５と駆動スプロケット１３とが接触し始める部分に限るものでなく、チェーン１５と従動スプロケット１４が接触し始める部分でも良い。この場合、体感窓は従動スプロケット１４に移動したチェーン１５が接触し始める部分近くの透明ケース１８の側面に、チェーン１５の延長方向に沿って設けられる。
【００３６】
＜実施形態３＞
次に、本発明の第３実施形態に係わる巻き込まれ体感装置について添付図面を参照して説明する。
【００３７】
図５は本発明の第３実施形態における巻き込まれ体感装置の模式的上面図である。
【００３８】
上記の本発明の第１実施形態における巻き込まれ体感装置と本発明の第２実施形態における巻き込まれ体感装置を併せ持つものである。
【００３９】
回転駆動手段１にはモーターなどの駆動手段を用いる。回転駆動手段１は駆動軸２を回転させ、駆動軸２は駆動軸２によって軸支される駆動プーリ３を回転させる。
【００４０】
従動プーリ４が駆動プーリ３から離れたところに設けられ、駆動プーリ３と従動プーリ４とに、Ｖベルト５が掛け渡されており、駆動プーリ３が回転することで図５におけるＶベルト進行方向１００の方向に移動することで、駆動プーリ３の回転がＶベルト５によって従動プーリ４に伝達される。駆動プーリ３の回転を従動プーリ４に伝達する手段はＶベルトに限られるものでなく、丸ベルトなど他の駆動伝達手段を用いてもよい。前記駆動プーリ３と前記従動プーリ４の間で、Ｖベルトと接するように、テンションローラ７が設けられ、テンションローラ７の回転軸には付勢手段６が設けられている。テンションローラ７の回転軸はＶベルトの延長方向に対して垂直方向に可動である。付勢手段６としてはばねを使用する。テンションローラ７がＶベルト５を押圧するものであれば、いかなるものを用いても構わない。回転軸に付勢手段６が設けられているテンションローラ７は、Ｖベルト５が弛んだときには、Ｖベルト５に近づく方向に動くことによって、弛みを解消し、Ｖベルト５が張られたときには、Ｖベルトから離れる方向に動き、張りを解消する。
【００４１】
この付勢手段６とテンションローラ７は、付勢手段とテンションローラ両方を備えたベルトテンショナー（不図示）であってもよい。
【００４２】
テンションローラ７はプーリでもよい。
【００４３】
従動プーリ４の回転軸の延長上に設けられた支軸３２は、支軸３２によって軸支される駆動スプロケット１３を回転させる。
【００４４】
従動スプロケット１４が駆動スプロケット１３から離れたところに設けられ、駆動スプロケット１３と従動スプロケット１４とにチェーン１５が掛け渡されており、駆動スプロケット１３が回転することで図５におけるチェーン進行方向２００の方向に移動し、駆動スプロケット１３が回転することでチェーン１５によって従動スプロケット１４に伝達される。前記駆動スプロケット１３と前記従動スプロケット１４の間で、チェーン１５と接するようにテンションスプロケット１７が設けられ、テンションスプロケット１７の回転軸には付勢手段１６が設けられる。テンションスプロケット１７の回転軸はチェーン１５の延長方向に対して垂直方向に可動である。付勢手段１６としてはばねを使用するが、テンションスプロケット１７がチェーン１５を押圧するものであれば、いかなるものを用いても構わない。回転軸に付勢手段１６が設けられているテンションスプロケット１７は、チェーン１５が弛んだときには、チェーン１５に近づく方向に動くことによって弛みを解消し、チェーン１５が張られたときには、チェーン１５から離れる方向に動き、張りを解消する。
【００４５】
この付勢手段１６とテンションスプロケット１７は、付勢手段とテンションスプロケット両方の機能を備えたチェーンテンショナー（不図示）であってもよい。
【００４６】
回転駆動手段１と駆動軸２と駆動プーリ３と従動プーリ４と付勢手段６とテンションローラ７とＶベルト５と支軸３２と駆動スプロケット１３と従動スプロケット１４と付勢手段１６とテンションスプロケット１７とチェーン１５を覆い、内部を視認することができる透明ケース２８がある。
【００４７】
従動プーリ４に移動したＶベルト５が接触し始める部分近くの透明ケース２８の側壁に、Ｖベルトの延長方向に沿って体感窓９が設けられる。
【００４８】
駆動スプロケット１３に移動したチェーン１５が接触し始める部分近くの透明ケース２８の側壁に、チェーン１５の延長方向に沿って体感窓１９が設けられる。
【００４９】
巻き込まれ体感装置における巻き込まれを体感するための動作について説明する。
【００５０】
＜ベルト巻き込まれ体感＞
体感者が被挿入物を手に持ち、体感窓９から透明ケース２８内に挿入し、移動したＶベルト５と従動プーリ４が接触し始める部位に被挿入物を挿入する。被挿入物は体感窓９の最小の幅より小さく、手で持つことが可能な大きさあれば何でもよく、断面形状はどのようなものであっても良いが、手で持つことの負担が小さく、Ｖベルトと従動プーリとに挟まって抜けなくなったときに変形するように木製のものが望ましい。体感窓９はＶベルト５の延長方向に沿った形状であるので、被挿入物がＶベルト５と従動プーリ４の間に挿入されると、従動プーリ４の外周に沿って被挿入物が移動し、巻き込まれる感覚を体感することができる。
【００５１】
Ｖベルト５と従動プーリ４の間に被挿入物が挟みこまれる時、Ｖベルト５は従動プーリ４から浮き上がり、そこでＶベルト５の経路が長くなるために、テンションが増加する。テンションが増加すると、テンションローラ７がＶベルト５から離れる方向に動くことによってテンションの増加を吸収する。
【００５２】
テンションローラ７がない場合、Ｖベルト５と従動プーリ４の間に被挿入物が挟みこまれた時に、増加したテンションを吸収することができず、Ｖベルト５が脱輪したり破断したりする可能性がある。
【００５３】
＜チェーン巻き込まれ体感＞
体感者が被挿入物を手に持ち、体感窓１９から透明ケース２8内に挿入し、移動したチェーン１５と駆動スプロケット１３が接触し始める部位に被挿入物を挿入する。被挿入物は体感窓１９の最小の幅より小さく、手で持つことが可能な大きさあれば何でもよく、断面形状はどのようなものであっても良いが、手で持つことの負担が小さく、チェーン１５と駆動スプロケット１３とに挟まって抜けなくなったときに変形するように木製のものが望ましい。体感窓１９はチェーン１５の延長方向に沿った形状であるので、被挿入物がチェーン１５と駆動スプロケット１３の間に挿入されると、駆動スプロケット１３の外周に沿って被挿入物が移動し、巻き込まれる感覚を体感することができる。
【００５４】
チェーン１５と駆動スプロケット１３の間に被挿入物が挟みこまれる時、チェーン１５は駆動スプロケット１３から浮き上がり、そこでチェーン１５の経路が長くなるために、テンションが増加する。テンションが増加すると、テンションスプロケット１７がチェーン１５から離れる方向に動くことによってテンションの増加を吸収する。
【００５５】
テンションスプロケット１７がない場合、チェーン１５と駆動スプロケット１３の間に被挿入物が挟みこまれた時に、増加したテンションを吸収することができず、チェーン１５が脱輪したり破断したりする可能性がある。
【００５６】
実施形態３では実施形態１の装置と実施形態２の装置の両方をコンパクトな装置にまとめることができ、ベルトへの巻き込まれの体感とチェーンへの巻き込まれの体感を同時に2人に対して行えるので、空間の有効利用が図れる。
【００５７】
以上のような本発明の構成によって、ベルトやチェーンへの巻き込まれの実体感を安全にすることが可能であり、危険に対する感度向上が図れる。
【符号の説明】
【００５８】
１・・・回転駆動手段
２・・・駆動軸
３・・・駆動プーリ
４・・・従動プーリ
５・・・Ｖベルト
６・・・付勢手段
７・・・テンションローラ
８・・・透明ケース
９・・・体感窓
１１・・・回転駆動手段
１２・・・駆動軸
１３・・・駆動スプロケット
１４・・・従動スプロケット
１５・・・チェーン
１６・・・付勢手段
１７・・・テンションスプロケット
１８・・・透明ケース
１９・・・体感窓
２８・・・透明ケース
３２・・・支軸
１００・・・Ｖベルト進行方向
２００・・・チェーン進行方向
【図１】
0006790353.tif 000002
【図２】
0006790353.tif 000003
【図３】
0006790353.tif 000004
【図４】
0006790353.tif 000005
【図５】
0006790353.tif 000006